(57)【要約】【課題】  未熟な作業員であっても複数の格子状体を相互に短時間で確実に固定することができる固定具を提供する。【解決手段】  本体１０の両端部は互いに対向するように屈曲させて第１屈曲部２１，２１になしてあり、第１屈曲部２１の本体１０から離隔する端部は段差部２１ｓの方向へ立ち上がる立上部（第３屈曲部）２３になっており、立上部２３の端部は本体１０から離隔する方向へ屈曲させて第４屈曲部２４になしてある。第４屈曲部２４の端部は、円弧状に屈曲させて外嵌部（第５屈曲部）２５になしてあり、外嵌部２５の先端部は湾曲させて、他方の溶接金網の枡目を構成する横条材の部分又は縦条材の部分に外嵌係合するフック部（第６屈曲部）２６になっている。【選択図】  図１
2018155044.tif 000002
【特許請求の範囲】
【請求項１】
適宜の間隔で互いに平行に配した複数の縦条材、及びこれら各縦条材と交差する様態で適宜の間隔で互いに平行に配した複数の横条材を有する格子状体が少なくとも２枚、両格子状体の一部が相互に重畳するように配されるようになっており、この重畳部分の両格子状体を互いに固定する固定具であって、
バネ条材の両端部を屈曲させて、一方の格子状体の縦条材又は横条材に係合する第１係合手段と、他方の格子状体の縦条材又は横条材に係合する第２係合手段とが設けてあり、
一方の格子状体に係合した第１係合手段と他方の格子状体に係合した第２係合手段との間に生じるバネ力によって、両格子状体を互いに固定するようになしてあることを特徴とする固定具。
【請求項２】
バネ条材にて構成した本体と、該本体の両端部をそれぞれ屈曲させた屈曲部とを具備し、
両屈曲部にそれぞれ前記第２係合手段、又は第１係合手段及び第２係合手段が設けてあり、
前記本体及び両屈曲部は、前記本体に曲げ力を印加することによって、当該本体を、一方の格子状体の相隣る縦条材の間、又は相隣る横条材の間に内嵌させ得るようになしてある
請求項１記載の固定具。
【請求項３】
前記本体に前記第１係合手段が設けてあり、両屈曲部にそれぞれ前記第２係合手段が設けてある請求項２記載の固定具。
【請求項４】
両屈曲部にはそれぞれ、前記本体に連通し、互いに対向するように屈曲された第１屈曲部と、本体と両第１屈曲部とで形成される平面に対して交わる方向に屈曲された第３屈曲部と、本体とねじれの位置になるように屈曲された第５屈曲部とが設けてあり、該第５屈曲部に連通させて前記第２係合手段が設けてある請求項３記載の固定具。
【請求項５】
前記第５屈曲部は、他方の格子状体の、一方の格子状体の第１係合手段を係合させる縦条材又は横条材と対向する縦条材又は横条材の周面であって、一方の格子状体の第１係合手段を係合させる縦条材又は横条材と対向する部分に倣うように成形して、当該縦条材又は横条材に外嵌させるようになしてあり、
両第２係合手段は、その端部が互いに対向するように屈曲させてある請求項４記載の固定具。
【請求項６】
前記第５屈曲部は他方の格子状体の前記縦条材又は横条材、及び当該縦条材又は横条材に相隣る縦条材又は横条材に外嵌させるように成形してある請求項５記載の固定具。
【請求項７】
前記本体の第１係合手段に凸部が設けてある請求項３乃至６のいずれかに記載の固定具。
【請求項８】
両屈曲部にはそれぞれ、前記本体に連通し、互いに対向するように屈曲された第１屈曲部と、第１屈曲部に連通し、互いに離隔する方向へ屈曲された第２屈曲部と、本体と両第１屈曲部とで形成される平面に対して交わる方向に屈曲された第３屈曲部と、両第３屈曲部の間の内側へ屈曲された第６屈曲部とが設けてあり、
前記第１係合手段は、本体と第１屈曲部との第１角部、及び、前記第１屈曲部と第２屈曲部との第２角部を具備し、
前記第２係合手段は前記第６屈曲部を具備する
請求項１又は２記載の固定具。
【請求項９】
前記第６屈曲部は、前記平面と平行な面より本体側へ屈曲させてなる請求項８記載の固定具。
【発明の詳細な説明】
【技術分野】
【０００１】
本発明は、コンクリート内に埋設される溶接金網又は網状のフェンス等、縦条材と横条材とを格子状に構成してなる複数の格子状体を相互に固定する固定具に関する。
【背景技術】
【０００２】
建物の床といった構造物を建造すべくコンクリートを打設する場合、当該構造物の強度を増大させ、また構造物にクラックが発生することを防止するために、コンクリート内に複数枚の溶接金網を埋設させている。
【０００３】
図２７は従来の溶接金網の施工方法を説明する説明図であり、図中、ＷＭは溶接金網である。溶接金網ＷＭは、複数の縦条材Ｗ１，Ｗ１，…と横条材Ｗ２，Ｗ２，…とを格子状に配してなり、縦条材Ｗ１，Ｗ１，…と横条材Ｗ２，Ｗ２，…とが交差する部分を相互に溶接にて固定してある。
【０００４】
施工対象領域の周囲に図示しない型枠を立設しておき、当該型枠内の全域に複数の溶接金網ＷＭ，ＷＭ，…を敷設する。このとき、相隣る溶接金網ＷＭ，ＷＭはその縁部が複数マス（図２７にあっては１マス）ずつ重畳するようにしてある。次に、図２７に示したように、施工対象面と溶接金網ＷＭ，ＷＭ，…との間にスペーサ３０，３０，…を介装させて、施工対象面から溶接金網ＷＭ，ＷＭ，…を所定寸法だけ持ち上げる。そして、相隣る溶接金網ＷＭ，ＷＭの重畳部分に、例えば溶接金網上で作業する作業員によって踏まれた場合であっても相互ズレが発生することを防止するために、針金等の短寸の条材を用いてなる結束材Ｂ，Ｂ，…によって、重畳する両溶接金網ＷＭ，ＷＭを相互に結束する。
【０００５】
このようにして施工対象領域に溶接金網ＷＭ，ＷＭ，…への施工が終了した後、型枠内へコンクリートを溶接金網ＷＭ，ＷＭ，…が埋入する所定深さまで投入し、投入したコンクリートの表面を均すのである。
【０００６】
しかし、このような結束作業は各溶接金網ＷＭ，ＷＭ，…が相互に重畳させた全ての領域に対して実施する必要がある上に、各領域それぞれに多くの結束箇所が存在するため、比較的大きな面積の構造物を建造する場合、熟練した作業員が複数人必要となるのに加え、熟練した作業員であっても全ての結束箇所の作業が終了するまでに長時間を要していた。
【０００７】
そのため、後記する特許文献１には、溶接金網同士を重畳させずに、相隣る溶接金網を構成する各条材の端部同士を直線状に相互に連結させる連結具が提案されている。
【先行技術文献】
【特許文献】
【０００８】
【特許文献１】特開昭５１−５８１８号公報
【発明の概要】
【発明が解決しようとする課題】
【０００９】
しかしながら、そのような連結具を用いて相隣る溶接金網を連結させる場合、相隣る溶接金網を構成する各条材の端部同士を直線状に位置合わせしなければならず、かかる位置合わせ作業に時間を要する上に、連結具によって各条材の端部同士を連結させる作業に比較的長時間を要するという問題があった。
【００１０】
本発明は斯かる事情に鑑みてなされたものであって、未熟な作業員であっても複数の格子状体を相互に短時間で確実に固定することができる固定具を提供する。
【課題を解決するための手段】
【００１１】
（１）本発明に係る固定具は、適宜の間隔で互いに平行に配した複数の縦条材、及びこれら各縦条材と交差する様態で適宜の間隔で互いに平行に配した複数の横条材を有する格子状体が少なくとも２枚、両格子状体の一部が相互に重畳するように配されるようになっており、この重畳部分の両格子状体を互いに固定する固定具であって、バネ条材の両端部を屈曲させて、一方の格子状体の縦条材又は横条材に係合する第１係合手段と、他方の格子状体の縦条材又は横条材に係合する第２係合手段とが設けてあり、一方の格子状体に係合した第１係合手段と他方の格子状体に係合した第２係合手段との間に生じるバネ力によって、両格子状体を互いに固定するようになしてあることを特徴とする。
【００１２】
本発明の固定具にあっては、その一部を相互に重畳させた少なくとも２枚の格子状体に対してこの重畳部分の両格子状体を互いに固定する固定具である。ここで、格子状体は、適宜の間隔で互いに平行に配した複数の縦条材、及びこれら各縦条材と交差する様態で適宜の間隔で互いに平行に配した複数の横条材にて格子状に形成されており、格子状体又は網状のフェンス等が含まれる。
【００１３】
この固定具は、バネ条材の両端部を屈曲させて、一方の格子状体の縦条材又は横条材に係合する第１係合手段と、他方の格子状体の縦条材又は横条材に係合する第２係合手段とが設けてある。そして、固定具は前記バネ条材が、一方の格子状体に係合した第１係合手段と他方の格子状体に係合した第２係合手段との間に生じるバネ力によって、両格子状体を互いに固定するようになしてある。
【００１４】
ここで、第１係合手段を一方の格子状体の縦条材に係合させ、第２係合手段を他方の格子状体の縦条材又は横条材に係合させるように構成してもよいし、第１係合手段を一方の格子状体の横条材に係合させ、第２係合手段を他方の格子状体の縦条材又は横条材に係合させるように構成してもよい。
【００１５】
このように本固定具は、第１係合手段を一方の格子状体の縦条材又は横条材に係合させ、また、第２係合手段を他方の格子状体の縦条材又は横条材に係合させることによって、両格子状体を確実に固定することができるため、未熟な作業員であっても短時間で固定作業を実施することができる。
【００１６】
（２）本発明に係る固定具は、バネ条材にて構成した本体と、該本体の両端部をそれぞれ屈曲させた屈曲部とを具備し、両屈曲部にそれぞれ前記第２係合手段、又は第１係合手段及び第２係合手段が設けてあり、前記本体及び両屈曲部は、前記本体に曲げ力を印加することによって、当該本体を、一方の格子状体の相隣る縦条材の間、又は相隣る横条材の間に内嵌させ得るようになしてあることを特徴とする。
【００１７】
本発明の固定具にあっては、バネ条材の両端部を屈曲させてそれぞれ屈曲部になし、両屈曲部の間を本体になしてある。両屈曲部にはそれぞれ、前記第２係合手段、又は第１係合手段及び第２係合手段が設けてある。両屈曲部にそれぞれ設けられた第２係合手段は、他方の格子状体の相隣る縦条材、又は相隣る横条材にそれぞれ係合する。
【００１８】
ここで、前者の場合、前記本体は一方の格子状体の相隣る縦条材の間に内嵌されるようになっており、また後者の場合、本体は一方の格子状体の相隣る横条材の間に内嵌されるようになっている。つまり、本体及び両屈曲部は、本体に曲げ力を印加することによって、当該本体を、一方の格子状体の相隣る縦条材の間、又は相隣る横条材の間に内嵌させ得るように構成してある。相隣る縦条材の間、又は相隣る横条材の間に内嵌された本体にはバネ力による突っ張り力が発生し、この突っ張り力は両屈曲部に与えられて、一方の格子状体が、当該格子状体を構成する各縦条材又は各横条材にて形成される平面と平行な方向へずれることが防止される。
【００１９】
また、本体は前述した突っ張り力にて一方の格子状体に固着され、かかる本体に連通する両屈曲部の第２係合手段が他方の格子状体に係合するため、他方の格子状体をしっかり固定することができる。
【００２０】
（３）本発明に係る固定具は、前記本体に前記第１係合手段が設けてあり、両屈曲部にそれぞれ前記第２係合手段が設けてあることを特徴とする。
【００２１】
本発明の固定具にあっては、本体に前記第１係合手段が設けてあり、この第１係合手段が一方の格子状体の縦条材又は横条材に係合する。ここで、第１係合手段は本体全体であってもよいし、本体の一部に設けてもよい。また、本体の両側に設けられた両屈曲部にそれぞれ前記第２係合手段が設けてあり、両第２係合手段が他方の格子状体の相隣る横条材又は相隣る縦条材に係合する。
【００２２】
このように、第１係合手段と第２係合手段とはねじれの位置の関係にあり、これによって両格子状体を強固に固定することができる。
【００２３】
（４）本発明に係る固定具は、両屈曲部にはそれぞれ、前記本体に連通し、互いに対向するように屈曲された第１屈曲部と、本体と両第１屈曲部とで形成される平面に対して交わる方向に屈曲された第３屈曲部と、本体とねじれの位置になるように屈曲された第５屈曲部とが設けてあり、該第５屈曲部に連通させて前記第２係合手段が設けてあることを特徴とする。
【００２４】
本発明の固定具にあっては、両屈曲部にはそれぞれ、本体に連通し、互いに対向するように屈曲された第１屈曲部が設けてあり、本体及び両第１屈曲部にてコ字状の構造体が形成されている。また、両屈曲部にはそれぞれ、かかる構造体にて形成される平面に対して交わる方向に屈曲された第３屈曲部が設けてあり、また、本体とねじれの位置になるように屈曲された第５屈曲部が設けてある。そして、前述した第２係合手段はこの第５屈曲部に連通する様態で設けてある。
【００２５】
かかる固定具では、重畳させた２枚の格子状体の所要位置に、固定具の本体、両屈曲部に設けられた第１屈曲部、第３屈曲部、第５屈曲部及び第２係合手段を取り付けるだけで、両格子状体を確実に固定することができるため、未熟な作業員であっても短時間で固定作業を実施することができる。
【００２６】
（５）本発明に係る固定具は、前記第５屈曲部は、他方の格子状体の、一方の格子状体の第１係合手段を係合させる縦条材又は横条材と対向する縦条材又は横条材の周面であって、一方の格子状体の第１係合手段を係合させる縦条材又は横条材と対向する部分に倣うように成形して、当該縦条材又は横条材に外嵌させるようになしてあり、両第２係合手段は、その端部が互いに対向するように屈曲させてあることを特徴とする。
【００２７】
本発明の固定具にあっては、前述した第５屈曲部は、他方の格子状体を構成し、一方の格子状体の第１係合手段を係合させる縦条材又は横条材と対向する縦条材又は横条材の周面であって、一方の格子状体の第１係合手段を係合させる縦条材又は横条材と対向する部分に倣うように曲成して、当該縦条材又は横条材に外嵌させるようになしてあり、これによって、他方の格子状体が、当該格子状体の各縦条材又は各横条材で形成される平面と平行な方向へずれることが防止される。
【００２８】
（６）本発明に係る固定具は、前記第５屈曲部は他方の格子状体の前記縦条材又は横条材、及び当該縦条材又は横条材に相隣る縦条材又は横条材に外嵌させるように成形してあることを特徴とする。
【００２９】
本発明の固定具にあっては、前述した第５屈曲部は、他方の格子状体を構成し、一方の格子状体の第１係合手段を係合させる縦条材又は横条材と対向する縦条材又は横条材、及び、当該縦条材又は横条材に相隣る縦条材又は横条材に外嵌させるように成形してある。かかる第５屈曲部によって、他方の格子状体を構成する縦条材又は横条材と当該縦条材又は横条材に相隣る縦条材又は横条材とが一度に固定されるため、他方の格子状体をより強固に固定することができる。
【００３０】
（７）本発明に係る固定具は、前記本体の第１係合手段に凸部が設けてあることを特徴とする。
【００３１】
本発明の固定具にあっては、本体の第１係合手段に凸部が設けてある。ここで、凸部は適宜な形状になすことができ、山形状、舌片状、方形状、多角形状等の形状であってよい。かかる凸部は、本体の第１係合手段を一方の格子状体の縦条材又は横条材に係合させる際に案内部材として作用させることができ、また、前述した如く本体を一方の格子状体の相隣る縦条材の間、又は相隣る横条材の間に内嵌させる場合、比較的小さな曲げ力を本体に印加してこれを実施することができる。
【００３２】
（８）本発明に係る固定具は、両屈曲部にはそれぞれ、前記本体に連通し、互いに対向するように屈曲された第１屈曲部と、第１屈曲部に連通し、互いに離隔する方向へ屈曲された第２屈曲部と、本体と両第１屈曲部とで形成される平面に対して交わる方向に屈曲された第３屈曲部と、両第３屈曲部の間の内側へ屈曲された第６屈曲部とが設けてあり、前記第１係合手段は、本体と第１屈曲部との第１角部、及び、前記第１屈曲部と第２屈曲部との第２角部を具備し、前記第２係合手段は前記第６屈曲部を具備することを特徴とする。
【００３３】
本発明の固定具にあっては、両屈曲部にはそれぞれ、本体に連通し、互いに対向するように屈曲された第１屈曲部が設けてあり、本体及び両第１屈曲部にてコ字状の構造体が形成されている。また、屈曲部には、第１屈曲部に連通し、互いに離隔する方向へ屈曲された第２屈曲部が設けてあり、第２屈曲部は両第１屈曲部の間である内側とは逆方向、すなわち両第１屈曲部の間の外側へ屈曲されて構成してある。屈曲部にはこの第２屈曲部に続いて、本体と両第１屈曲部とで形成される平面に対して交わる方向に屈曲された第３屈曲部が設けてあり、更に、両第３屈曲部の間の内側へ屈曲された第６屈曲部とが設けてある。
【００３４】
そして、前述した第１係合手段は、本体と第１屈曲部との第１角部と、第１屈曲部と第２屈曲部との第２角部とを具備しており、第１角部を、一方の格子状体の縦条材又は横条材の周面であって他方の格子状体に対向する部分に当接させ、また、第２角部を、一方の格子状体の横条材又は縦条材の周面であって他方の格子状体に対向する部分とは反対側の部分に当接させることによって、第１係合部を一方の格子状体に係合させる。これによって、第１係合手段が一方の格子状体に固着される。
【００３５】
一方、前述した第２係合手段は、両第３屈曲部の間の内側へ屈曲された第６屈曲部を具備しており、この第６屈曲部を他方の格子状体の縦条材又は横条材に外嵌係合させることによって、第２係合手段を他方の格子状体に係合させる。
【００３６】
このとき、前述した第２屈曲部、第３屈曲部及び第６屈曲部にてコ字状の構造体が構成されており、前述した如く第２係合手段を他方の格子状体に係合させた場合、コ字状の構造体によって、当該他方の格子状体と前記第１係合手段を固着させた一方の格子状体とが交互に固定される。
【００３７】
一方、重畳させた２枚の格子状体の所要位置に、固定具の第１屈曲部、第２屈曲部、第３屈曲部及び第６屈曲部を取り付けるだけで、両格子状体を確実に固定することができるため、未熟な作業員であっても短時間で固定作業を実施することができる。
【００３８】
（９）本発明に係る固定具は、前記第６屈曲部は、前記平面と平行な面より本体側へ屈曲させてなることを特徴とする。
【００３９】
本発明の固定具にあっては、第２係合手段を構成する第６屈曲部は、本体と両第１屈曲部とで形成される平面と平行な面より本体側へ屈曲させてなる。第６屈曲部は他方の格子状体の縦条材又は横条材に外嵌係合させるが、この縦条材又は横条材に第２係合手段から抜出する力が印加されると、第３屈曲部及び第６屈曲部のバネ力が作用する一方、前述したように第６屈曲部は、本体と両第１屈曲部とで形成される平面と平行な面より本体側へ屈曲させてあるため、第６屈曲部が外嵌された縦条材又は横条材の周面上を滑って、第４屈曲部の先端が両第３屈曲部の間の内側の方向へ前進して、当該縦条材又は横条材は第３屈曲部と第６屈曲部との角部内へより深く抱え込まれる。これによって第２係合手段と他方の格子状体との係合がより強固になるため、第２係合手段から他方の格子状体が抜出することが防止される。
【図面の簡単な説明】
【００４０】
【図１】本発明に係る固定具の一例を示す斜視図である。
【図２】図１に示した固定具の使用様態を説明する説明図である。
【図３】図２に示した溶接金網の固定具にて固定された部分の部分平面図である。
【図４】図２に示した溶接金網の固定具にて固定された部分の部分側面図である。
【図５】固定具の本体を、相互に重畳させた溶接金網の内の一方の溶接金網に差し込む状態を説明する説明図である。
【図６】２枚の溶接金網の一部を互いに重畳させ、その重畳部分を固定具にて固定する方法を平面視で説明する説明図である。
【図７】２枚の溶接金網の一部を互いに重畳させ、その重畳部分を固定具にて固定する方法を平面視で説明する説明図である。
【図８】２枚の溶接金網の一部を互いに重畳させ、その重畳部分を固定具にて固定する方法を平面視で説明する説明図である。
【図９】２枚の溶接金網の一部を互いに重畳させ、その重畳部分を固定具にて固定する方法を平面視で説明する説明図である。
【図１０】本発明を実施するための第２の形態に係る固定具を示す斜視図である。
【図１１】図１０に示した固定具を用いて、重畳させた溶接金網を固定した状態を示す部分斜視図である。
【図１２】本発明を実施するための第３の形態に係る固定具を示す平面図である。
【図１３】本発明を実施するための第３の形態に係る固定具を示す斜視図である。
【図１４】図１３に示した固定具を用いて、重畳させた２枚の溶接金網を固定した状態を示す部分斜視図である。
【図１５】図１４に示した固定具及び両溶接金網の部分平面図である。
【図１６】図１４に示した固定具及び両溶接金網の正面図である。
【図１７】２枚の溶接金網の一部を互いに重畳させ、その重畳部分を固定具にて固定する方法を平面視で説明する説明図である。
【図１８】２枚の溶接金網の一部を互いに重畳させ、その重畳部分を固定具にて固定する方法を平面視で説明する説明図である。
【図１９】２枚の溶接金網の一部を互いに重畳させ、その重畳部分を固定具にて固定する方法を平面視で説明する説明図である。
【図２０】２枚の溶接金網の一部を互いに重畳させ、その重畳部分を固定具にて固定する方法を平面視で説明する説明図である。
【図２１】本発明を実施するための第４の形態に係る固定具を示す平面図である。
【図２２】本発明を実施するための第４の形態に係る固定具を示す斜視図である。
【図２３】図２２に示した固定具を用いて重畳させた２枚の溶接金網を固定した状態を示す部分斜視図である。
【図２４】図２３に示した固定具及び両溶接金網の部分平面図である。
【図２５】図２３に示した固定具及び両溶接金網の正面図である。
【図２６】図２５に示した固定具に溶接金網から脱離する力が加えられた場合の第６屈曲部の状態を説明する説明図である。
【図２７】従来の溶接金網の施工方法を説明する説明図である。
【発明を実施するための形態】
【００４１】
本発明に係る固定具を図面に基づいて詳述する。なお、本実施の形態で説明する固定具は、本発明の趣旨を説明する一例であり、本発明はその趣旨を逸脱しない範囲での変形や改造を含むことはいうまでもない。
【００４２】
（発明を実施するための第１の形態）
図１は本発明に係る固定具の一例を示す斜視図であり、格子状体たる溶接金網の固定に適用するようになしてある。
【００４３】
本固定具１はその全体がバネ条材にて構成されている。固定具１は、直線分状の本体１０を備えており、本体１０の長さ寸法は複数の縦条材及び横条材を格子状に配置してなる溶接金網を構成する枡目の縦条材の部分又は前記枡目を構成する横条材の部分の長さ寸法より少し短い寸法になしてある。即ち、本体１０が溶接金網の格子の枡目を構成する縦条材の部分に取り付けられる場合にあっては、本体１０の長さ寸法は当該縦条材の部分の長さ寸法より少し短い寸法になしてあり、本体１０が溶接金網の格子の枡目を構成する横条材の部分に取り付けられる場合にあっては、本体１０の長さ寸法は当該横条材の部分の長さ寸法より少し短い寸法になしてある。
【００４４】
本体１０の長手方向の中途位置にはバネ条材を山形状に成形してなる凸部１０ｔが設けてある。凸部１０ｔは適宜な形状になすことができ、図１に示したような山形状以外にも、舌片状、方形状、多角形状等の形状であってもよい。なお、図１の固定具１では本体１０に凸部１０ｔを設けた場合について示したが、本発明はこれに限らず、本体１０に凸部１０ｔを設けなくてもよい。
【００４５】
本体１０の両端部は互いに対向するように屈曲させて第１屈曲部２１，２１になしてあり、両第１屈曲部２１，２１及び本体１０によって平面ｆが形成されるようになっている。両第１屈曲部２１，２１の間の寸法は、本体１０から離隔するにつれて漸次広くしてある。両第１屈曲部２１，２１に外側から押圧を印加してバネ条材で構成された本体１０を円弧状に変形させた場合、本体１０には元の姿勢に復帰する復帰力が発生するが、前述したように両第１屈曲部２１，２１の間の寸法が本体１０から離隔するにつれて漸次広くしてあるため、両第１屈曲部２１，２１の本体１０から離隔する端部に前記復帰力が集中し得るようになっている。両第１屈曲部２１，２１の本体１０から離隔する端部はそれぞれ、前述した溶接金網の枡目の外側に位置する縦条材の部分又は横条材の部分に当接する当接部になっている。
【００４６】
一方、第１屈曲部２１はその中途位置で前記平面ｆの略鉛直方向へ凸な段差部２１ｓが形成してあり、第１屈曲部２１の段差部２１ｓの部分に溶接金網を構成する縦条材又は横条材を抱え込むことができるようになっている。第１屈曲部２１の本体１０から離隔する端部は前記平面ｆの略鉛直方向であって、前記段差部２１ｓの方向へ立ち上がる立上部（第３屈曲部）２３になっており、立上部２３の端部は本体１０と略平行な姿勢であって、本体１０から離隔する方向へ屈曲させて第４屈曲部２４になしてある。なお、立上部２３の高さ寸法は重畳させる溶接金網の枚数及び溶接金網を構成する縦条材及び横条材の外径に応じて定められている。
【００４７】
第４屈曲部２４の端部は、円弧状に屈曲させて、重畳された他方の溶接金網の枡目を構成する外側の縦条材の部分又は横条材の部分に外嵌する外嵌部（第５屈曲部）２５になしてある。外嵌部２５の底部は第４屈曲部２４の高さ寸法より少し低くしてあり、これによって外嵌部２５は前記縦条材の部分又は横条材の部分の外周面に倣って、これをかい潜るように外嵌する。そして、外嵌部２５の先端部は湾曲させて、前記他方の溶接金網の枡目を構成する横条材の部分又は縦条材の部分に外嵌係合するフック部（第６屈曲部）２６になっている。これら、第１屈曲部２１、立上部２３、第４屈曲部２４、外嵌部２５及びフック部２６によって屈曲部２０が構成されている。
【００４８】
図２は図１に示した固定具１の使用様態を説明する説明図であり、２枚の溶接金網ＷＭ，ＷＭを固定する場合を示している。また、図３及び図４は、図２に示した溶接金網ＷＭの固定具１にて固定された部分の部分平面図及び部分側面図である。なお、図２〜図４中、図１に示した部分に対応する部分には同じ番号が付してある。
【００４９】
図２に示したように、溶接金網ＷＭは複数の縦条材Ｗ１，Ｗ１，…と横条材Ｗ２，Ｗ２，…とを適宜の距離を隔てて格子状に配してなり、各縦条材Ｗ１，Ｗ１，…と横条材Ｗ２，Ｗ２，…とが交差する部分は相互に溶接にて固定してある。そして、縦条材Ｗ１，Ｗ１，…及び横条材Ｗ２，Ｗ２，…で囲まれる複数の枡目Ｍ，Ｍ，…が形成されている。なお、図２にあっては、両溶接金網ＷＭ、ＷＭにおいて、１つの枡目Ｍ，Ｍを含む一部分のみを示している。
【００５０】
図２に示したように、前述したような２枚の溶接金網ＷＭ，ＷＭが互いに枡目Ｍ，Ｍが一致するように重畳させてある。固定具１は、図２に示した場合にあっては、その本体１０が一方の溶接金網ＷＭの枡目Ｍを構成する縦条材Ｗ１の部分であって、他方の溶接金網ＷＭとは反対側の周面に当接するように、枡目Ｍの外側から内側へ差し込んであり、第１屈曲部２１，２１の前述した当接部が当該枡目Ｍの外側であって前記縦条材Ｗ１の部分に直交する横条材Ｗ２，Ｗ２の部分に当接している。
【００５１】
前述したように、本体１０の長さ寸法は当該縦条材Ｗ１の部分の長さ寸法より少し短い寸法になしてあるが、両第１屈曲部２１，２１の間の寸法は、本体１０から離隔するにつれて漸次広くしてあるため、本体１０を前述した如く前記縦条材Ｗ１の部分に当接するように、枡目Ｍの外側から内側へ差し込む場合、両第１屈曲部２１，２１に外側から押圧を印加してバネ条材で構成された本体１０を円弧状に変形させることによって、前記縦条材Ｗ１の部分に直交する横条材Ｗ２，Ｗ２の部分の間に本体１０及び両第１屈曲部２１，２１を内嵌させて、前記押圧を除去する。このとき、本体１０に凸部１０ｔが設けてあるため、本体１０の変形を比較的容易に行うことができる。
【００５２】
本体１０を変形させた後に押力を除去すると、本体１０に元の姿勢に復帰するバネ力が発生するが、前述したように両第１屈曲部２１，２１の間の寸法が本体１０から離隔するにつれて漸次広くしてあるため、両当接部に前記バネ力が集中し、図４に示したように、第１屈曲部２１，２１の当接部は前記両横条材Ｗ２，Ｗ２の部分に強く押し当てられる。従って、本体１０は前述した横条材Ｗ２，Ｗ２の部分の間で突っ張った状態でそこに固着される。
【００５３】
また、前述したように第１屈曲部２１，２１には段差部２１ｓ，２１ｓが形成してあるため、図２及び図４に示したように、本体１０を前記縦条材Ｗ１の部分に差し込んだ場合、当該縦条材Ｗ１の部分が第１屈曲部２１，２１の段差部２１ｓ，２１ｓの部分に抱え込まれる。このとき、本体１０に設けられた凸部１０ｔが前記縦条材Ｗ１の部分の周面上を摺動するようになっており、これによって凸部１０ｔは本体１０を前記縦条材Ｗ１の部分に差し込む際に案内部としても機能する。
【００５４】
一方、前述したように外嵌部２５の底部は第４屈曲部２４の高さ寸法より少し低くしてあるため、図２及び図３に示したように、外嵌部２５，２５は、一方の溶接金網ＷＭに重畳させた他方の溶接金網ＷＭであって、一方の溶接金網ＷＭの前記縦条材Ｗ１の部分に対向する縦条材Ｗ１の部分であって枡目Ｍの両外側の部分を、一方の溶接金網ＷＭに対向する側から回り込むように外嵌する。これによって、外嵌部２５，２５は、他方の溶接金網ＷＭの枡目Ｍの２つの角部を取り囲んで、両角部を固定する。
【００５５】
そして、図２及び図３に示したように、フック部２６，２６が他方の溶接金網ＷＭの枡目Ｍを構成する横条材Ｗ２，Ｗ２の部分の外周面に外嵌係合し、これによって固定具１が両溶接金網ＷＭ，ＷＭに固着される。
【００５６】
このような固定具１にあっては、一方の外嵌部２５を、前述したように他方の溶接金網ＷＭの枡目Ｍの一方の角部を取り囲ませるとともに、両第１屈曲部２１，２１に外側から押圧を印加して、バネ条材で構成された本体１０を円弧状に変形させることによって、前記縦条材Ｗ１の部分に直交する横条材Ｗ２，Ｗ２の部分の間に本体１０及び両第１屈曲部２１，２１を内嵌させた後、他方の外嵌部２５を、他方の溶接金網ＷＭの枡目Ｍの他方の角部を取り囲ませ、前記押圧を除去する。そして、前述したように本体１０を一方の溶接金網ＷＭの前記縦条材Ｗ１の部分に差し込み、また、両フック部２６，２６を他方の溶接金網ＷＭの枡目Ｍを構成する横条材Ｗ２，Ｗ２の部分の外周面に係合させる。
【００５７】
図５は、固定具１の本体１０を、相互に重畳させた溶接金網ＷＭ，ＷＭの内の一方の溶接金網ＷＭに差し込む状態を説明する説明図である。なお、図中、図１〜図４に示した部分に対応する部分には同じ番号を付してその説明を省略する。
【００５８】
前述したように、固定具１の両外嵌部２５，２５にて他方の溶接金網ＷＭの枡目Ｍを構成する２つの角部を取り囲ませるとともに、固定具１の本体１０及び両第１屈曲部２１，２１を、一方の溶接金網ＷＭの枡目Ｍを構成する縦条材Ｗ１の部分に直交する横条材Ｗ２，Ｗ２の部分の間に内嵌させてある（図５（ａ））。このとき、本体１０の凸部１０ｔが一方の溶接金網ＷＭの前記縦条材Ｗ１に当接している。
【００５９】
そして、例えば、固定具１の両立上部２３，２３に押力を印加することによって、本体１０を一方の溶接金網ＷＭの前記縦条材Ｗ１の部分に差し込ませる（図５（ｂ））。このとき、当該縦条材Ｗ１の部分は第１屈曲部２１（２１）の段差部２１ｓ（２１ｓ）の部分に抱え込まれるように嵌合し、そこに固定される。一方、本体１０の凸部１０ｔは案内部材として作用する。
【００６０】
このように、固定具１の両外嵌部２５，２５及び両第１屈曲部２１，２１を、重畳させた２枚の溶接金網ＷＭ，ＷＭの所要位置に取り付けた後、当該固定具１にてワンタッチで両溶接金網ＷＭ，ＷＭを固定することができる。
【００６１】
次に、本発明に係る固定具を用いて複数の溶接金網を固定させる方法について説明する。
図６及び図７並びに図８及び図９は、２枚の溶接金網の一部を互いに重畳させ、その重畳部分を固定具にて固定する方法を平面視で説明する説明図であり、図６及び図７は長方形状の溶接金網の長辺部分を重畳させた場合を、図８及び図９は長方形状の溶接金網の短辺部分を重畳させた場合をそれぞれ示している。なお、これらの図中、図１〜図５に示した部分に対応する部分には同じ番号が付してある。
【００６２】
図６に示したように、長方形状の溶接金網ＷＭ，ＷＭを、両溶接金網ＷＭ，ＷＭの縦条材Ｗ１，Ｗ１，…、Ｗ１，Ｗ１，…及び横条材Ｗ２，Ｗ２，…、Ｗ２，Ｗ２，…にて囲まれる複数の枡目Ｍ，Ｍ，…、Ｍ，Ｍ，…が相互に一行程度重畳するように、即ち両溶接金網ＷＭ，ＷＭの長辺部分が相互に重畳するように配置する。そして、図７に示したように、重畳させた枡目Ｍ，Ｍ，…、Ｍ，Ｍ，…の内、適当な複数（図７にあっては３つ）の枡目Ｍ，Ｍ，Ｍ、Ｍ，Ｍ，Ｍに対をなす固定具１，１、１，１、１，１を互いに対向配置して、各固定具１，１、１，１、１，１を前述した如く取り付けることによって、両溶接金網ＷＭ，ＷＭの重畳部分と各固定具１，１、１，１、１，１とを相互に結合させて、両溶接金網ＷＭ，ＷＭを固定させる。
【００６３】
一方、図８に示したように、長方形状の溶接金網ＷＭ，ＷＭを、両溶接金網ＷＭ，ＷＭの複数の枡目Ｍ，Ｍ，…、Ｍ，Ｍ，…が相互に一列程度重畳するように、即ち両溶接金網ＷＭ，ＷＭの短辺部分が相互に重畳するように配置する。そして、図９に示したように、重畳させた枡目Ｍ，Ｍ，…、Ｍ，Ｍ，…の内、適当な複数（図９にあっては２つ）の枡目Ｍ，Ｍ、Ｍ，Ｍに対をなす固定具１，１、１，１を互いに対向配置して、各固定具１，１、１，１を前述した如く取り付けることによって、両溶接金網ＷＭ，ＷＭの重畳部分と各固定具１，１、１，１とを相互に結合させて、両溶接金網ＷＭ，ＷＭを固定させる。
【００６４】
このとき、前述したように固定具１の両外嵌部２５，２５及び両第１屈曲部２１，２１（いずれも図２参照）を、重畳させた２枚の溶接金網ＷＭ，ＷＭの所要位置に取り付けた後、当該固定具１にてワンタッチで両溶接金網ＷＭ，ＷＭを固定することができるため、未熟な作業員であっても短時間で確実に固定作業を実施することができる。
【００６５】
ところで、対をなす一方の固定具１の外嵌部２５，２５によって、図２に示したように、他方の溶接金網ＷＭの枡目Ｍの２つの角部を取り囲ませ、また、当該固定具１の第１屈曲部２１，２１の当接部が一方の溶接金網ＷＭの枡目Ｍの外側の一方の横条材Ｗ２，Ｗ２の部分に当接する。同様に、対をなす他方の固定具１の外嵌部２５，２５によって、他方の溶接金網ＷＭの枡目Ｍの他の２つの角部を取り囲ませ、また、当該固定具１の第１屈曲部２１，２１の当接部が一方の溶接金網ＷＭの枡目Ｍの外側の他方の横条材Ｗ２，Ｗ２の部分に当接する。このように、対をなす固定具１，１によって、重畳された２つの溶接金網ＷＭ，ＷＭの枡目Ｍの周囲が４方向でそれぞれ固定されるため、両溶接金網ＷＭ，ＷＭが各縦条材Ｗ１，Ｗ１，…又は各横条材Ｗ２，Ｗ２，…にて形成される平面と平行をなす方向へずれることが防止される。
【００６６】
一方、図２に示したように、本固定具１にあっては、他方の溶接金網ＷＭの横条材Ｗ２に係合させた固定具１のフック部２６と、一方の溶接金網ＷＭの縦条材Ｗ１に外嵌させた本体１０とによって両溶接金網ＷＭ，ＷＭを挟持しており、加えて、固定具１はその全体がバネ条材で構成してあるため、重畳された両溶接金網ＷＭ，ＷＭを強固に固定することができる。また、両溶接金網ＷＭ，ＷＭを固定させた固定具１にあっては、当該固定具１の外嵌部２５，２５が他方の溶接金網ＷＭの枡目Ｍの２つの角部を取り囲んでいるため、固定具１から両溶接金網ＷＭ，ＷＭが抜出することが防止される。
【００６７】
なお、本実施の形態では、溶接金網ＷＭの１つの枡目Ｍに対をなす固定具１，１を配設してあるが、本発明はこれに限らず、溶接金網ＷＭの複数の枡目Ｍ，Ｍ，…にそれぞれ１つの固定具１を配設してもよい。
【００６８】
また、固定具１の本体１０は、前述したように溶接金網ＷＭの枡目Ｍを構成する縦条材Ｗ１の部分に外嵌させてもよいし、枡目Ｍを構成する横条材Ｗ２の部分に外嵌させてもよいことは言うまでもない。
【００６９】
（発明を実施するための第２の形態）
図１０は、本発明を実施するための第２の形態に係る固定具を示す斜視図であり、図１に示した固定具１のフック部２６，２６が溶接金網ＷＭに係合する位置と異なる位置に係合するようになしてある。また、図１１は、図１０に示した固定具１ａを用いて、重畳させた溶接金網ＷＭ，ＷＭを固定した状態を示す部分斜視図である。なお、両図中、図１から図４に示した部分に対応する部分には対応する番号を付してその説明を省略する。
【００７０】
図１０及び図１１に示したように、本固定具１ａにあっては、第４屈曲部２４ａ，２４ａに連通する両外嵌部２５ａ，２５ａは、第４屈曲部２４ａ，２４ａの高さ位置より少し低い位置、即ち第４屈曲部２４ａ，２４ａの高さ位置より所定寸法だけ第１屈曲部２１ａ，２１ａ側の位置へ屈曲させた後、その高さ位置を保った姿勢で、枡目Ｍを構成する一方の縦条材Ｗ１から他方の縦条材Ｗ１まで延伸させてあり、両外嵌部２５ａ，２５ａの端部は互いに内側へ略９０°屈曲させるとともに、枡目Ｍの外側の横条材Ｗ２，Ｗ２の部分にそれぞれ外嵌係合するように湾曲させたフック部２６ａ，２６ａになしてある。
【００７１】
このような固定具１ａにあっては、重畳させた一方の溶接金網ＷＭの枡目Ｍを構成する縦条材Ｗ１の部分に固定具１ａの本体１０ａを対向配置し、この固定具１ａの一方の外嵌部２５ａを、重畳させた他方の溶接金網ＷＭの枡目Ｍを構成する両縦条材Ｗ１，Ｗ１に外嵌させるとともに、当該枡目Ｍの２つの角部を取り囲ませる。次いで、固定具１ａの両第１屈曲部２１ａ，２１ａに外側から押圧を印加してバネ条材で構成された本体１ａを円弧状に変形させることによって、前記縦条材Ｗ１の部分に直交する横条材Ｗ２，Ｗ２の部分の間に本体１ａ及び両第１屈曲部２１ａ，２１ａを内嵌させた後、他方の外嵌部２５ａを、重畳させた他方の溶接金網ＷＭの枡目Ｍを構成する両縦条材Ｗ１，Ｗ１に外嵌させるとともに、当該枡目Ｍの他の２つの角部を取り囲ませ、前記押圧を除去する。そして、本体１０ａを一方の溶接金網ＷＭの前記縦条材Ｗ１の部分に差し込み、また、両フック部２６ａ，２６ａを他方の溶接金網ＷＭの枡目Ｍの外側の横条材Ｗ２，Ｗ２の部分の外周面に係合させることによって、両溶接金網ＷＭ，ＷＭを固定する。
【００７２】
このように本固定具１ａは、両第４屈曲部２４ａ，２４ａ、外嵌部２５ａ，２５ａ及びフック部２６ａ，２６ａによって、重畳させた他方の溶接金網ＷＭの枡目Ｍを構成する４つの角部を全て取り囲むため、他方の溶接金網ＷＭが、当該溶接金網ＷＭを構成する各縦条材Ｗ１，Ｗ１，…又は各横条材Ｗ２，Ｗ２，…にて形成される平面と平行をなす方向へずれることが防止される。また、他方の溶接金網ＷＭを強固に固定することができるため、一方の溶接金網ＷＭの固定強度も相対的に向上する。
【００７３】
なお、固定具１ａの本体１０ａは、前述したように溶接金網ＷＭの枡目Ｍを構成する縦条材Ｗ１の部分に外嵌させてもよいし、枡目Ｍを構成する横条材Ｗ２の部分に外嵌させてもよい。後者の場合、フック部２６ａ，２６ａは枡目Ｍの外側の縦条材Ｗ１，Ｗ１の部分の外周面に係合する。
【００７４】
（発明を実施するための第３の形態）
図１２及び図１３は、本発明を実施するための第３の形態に係る固定具を示す平面図及び斜視図であり、溶接金網との係合様態を異ならせてある。また、図１４は、図１３に示した固定具１ｂを用いて、重畳させた２枚の溶接金網ＷＭ，ＷＭを固定した状態を示す部分斜視図であり、図１５及び図１６は、図１４に示した固定具１ｂ及び両溶接金網ＷＭ，ＷＭの部分平面図及び正面図である。なお、これらの図中、図１及び図２に示した部分に対応する部分には対応する番号が付してある。
【００７５】
なお、本実施の形態では、溶接金網ＷＭ，ＷＭの枡目Ｍ，Ｍを構成する横条材Ｗ２，Ｗ２の部分に本固定具１ｂを固定させた場合について示してあるが、溶接金網ＷＭ，ＷＭの枡目Ｍ，Ｍを構成する縦条材Ｗ１，Ｗ１の部分に本固定具１ｂを固定させてもよいことは言うまでもない。
【００７６】
図１２〜図１６に示したように、固定具１ｂはその全体がバネ条材にて構成されている。固定具１ｂは、円弧状又は直線分状（図１２にあっては円弧状）の本体１０ｂを備えており、本体１０ｂの両端間の寸法は、複数の縦条材及び横条材を格子状に配置してなる溶接金網を構成する枡目の縦条材の部分又は前記枡目を構成する横条材の部分の長さ寸法より少し長い寸法になしてある。即ち、本体１０ｂが溶接金網ＷＭの枡目Ｍを構成する縦条材Ｗ１の部分に取り付けられる場合にあっては、本体１０ｂの長さ寸法は当該縦条材Ｗ１の部分の長さ寸法より少し長い寸法になしてあり、本体１０ｂが溶接金網ＷＭの枡目Ｍを構成する横条材Ｗ２の部分に取り付けられる場合にあっては、本体１０ｂの長さ寸法は当該横条材Ｗ２の部分の長さ寸法より少し長い寸法になしてある。
【００７７】
本体１０ｂの両端部は互いに対向するように屈曲させて第１屈曲部２１ｂ，２１ｂになしてあり、両第１屈曲部２１ｂ，２１ｂ及び本体１０ｂによってコ字状の平面ｆｂが形成されるようになっている。また、本体１０ｂと第１屈曲部２１ｂ，２１ｂとによって形成された第１角部Ｔ１，Ｔ１はそれぞれ、図１４に示したように、重畳された溶接金網ＷＭ，ＷＭの内の一方の溶接金網ＷＭの枡目Ｍを構成する縦条材Ｗ１，Ｗ１の部分に当接するようになっている。
【００７８】
両第１屈曲部２１ｂ，２１ｂの間の寸法は、本体１０ｂから離隔するにつれて漸次狭くしてあり、第１屈曲部２１ｂ，２１ｂの本体１０ｂから離隔する端部は、互いに離隔する方向へ屈曲させて第２屈曲部２２ｂ，２２ｂになしてある。第２屈曲部２２ｂ，２２ｂはいずれも前記平面ｆｂに対して所要角度だけ傾斜させてあり、第２屈曲部２２ｂ，２２ｂと対応する第１屈曲部２１ｂ，２１ｂとによって形成された第２角部Ｔ２，Ｔ２はそれぞれ、図１４に示したように、重畳された溶接金網ＷＭ，ＷＭの内の一方の溶接金網ＷＭの枡目Ｍを構成する横条材Ｗ２の部分に当接するようになっている。また、第２角部Ｔ２の角度は９０°より小さくしてある。これら第１角部Ｔ１，Ｔ１及び対応する第２角部Ｔ２，Ｔ２にて第１係合手段が構成されている。
【００７９】
両第２屈曲部２２ｂ，２２ｂの第１屈曲部２１ｂ，２１ｂから離隔する端部は、前記平面ｆｂから当該第２屈曲部２２ｂ，２２ｂが傾斜する側へ立ち下がる立下部（第３屈曲部）２３ｂ，２３ｂになしてある。両立下部２３ｂ，２３ｂの間の寸法は第２屈曲部２２ｂ，２２ｂから離隔するに従って少し広くしてあり、また、立下部２３ｂ，２３ｂの高さ寸法は、図１４に示した場合にあっては、一方の溶接金網ＷＭの横条材Ｗ２の直径と他方の溶接金網ＷＭの縦条材Ｗ１の直径とを合わせた寸法より僅かに短い寸法になしてある。
【００８０】
両立下部２３ｂ，２３ｂの第２屈曲部２２ｂ，２２ｂから離隔する端部は、両立下部２３ｂ，２３ｂの間の内側へ屈曲させて第６屈曲部２６ｂ，２６ｂになしてあり、この第６屈曲部２６ｂ，２６ｂはそれぞれ、図１４に示したように、重畳された溶接金網ＷＭ，ＷＭの内の他方の溶接金網ＷＭの枡目Ｍを構成する縦条材Ｗ１の部分に外嵌係合する係合部になしてある。第６屈曲部２６ｂの先端部は前記平面ｆｂと平行な面より本体１０ｂとは反対側であって、立下部２３ｂ，２３ｂの間の外側へ屈曲させてあり、これによって第６屈曲部２６ｂを他方の溶接金網ＷＭに係合させ易くなっている。なお、これら立下部２３ｂ，２３ｂ及び第６屈曲部２６ｂ，２６ｂにて第２係合手段が構成されている。また、第１屈曲部２１ｂ、第２屈曲部２２ｂ、立下部２３ｂ、第６屈曲部２６ｂによって屈曲部２０ｂが構成されている。
【００８１】
このような固定具にあっては、図１２及び図１５に示したように、両第１屈曲部２１ｂ，２１ｂに外側から押力を印加してバネ条材で構成された本体１０ｂをより湾曲させ、その状態で本体１０ｂを、図１４及び図１５に示したように、重畳された一方の溶接金網ＷＭの枡目Ｍの内側に位置させ、両第１屈曲部２１ｂ，２１ｂを、当該一方の溶接金網ＷＭの枡目Ｍを構成する縦条材Ｗ１，Ｗ１の部分の間に内嵌させる。
【００８２】
このとき、前述したように第２屈曲部２２ｂ，２２ｂは互いに離隔する方向へ屈曲させてあるので、図１４及び図１５に示したように、一方の溶接金網ＷＭの枡目Ｍを構成する前記横条材Ｗ２の部分及び前記縦条材Ｗ１，Ｗ１の部分を超えて、前記枡目Ｍの外側の横条材Ｗ２の部分及び外側の縦条材Ｗ１の部分で形成される角部Ｃ，Ｃまで延伸している。従って、立下部２３ｂ，２３ｂは両角部Ｃ，Ｃにあり、両第６屈曲部２６ｂ，２６ｂは、重畳された他方の溶接金網ＷＭの枡目Ｍの外側の縦条材Ｗ１，Ｗ１の部分に対向して位置する。
【００８３】
そして、第１屈曲部２１ｂ，２１ｂに印加した押力を除去して、図１４及び図１５に示したように、第１角部Ｔ１，Ｔ１を、重畳する一方の溶接金網ＷＭの枡目Ｍを構成する縦条材Ｗ１，Ｗ１の部分の周面であって、他方の溶接金網ＷＭに対向する部分に当接させ、また、第２角部Ｔ２，Ｔ２を、当該一方の溶接金網ＷＭの枡目Ｍを構成する横条材Ｗ２の部分の周面であって、他方の溶接金網ＷＭに対向する部分とは１８０°位置を異にする部分に当接させる。そして、図１４及び図１６に示したように、両第６屈曲部２６ｂ，２６ｂを前記縦条材Ｗ１，Ｗ１の部分に外嵌係合させる。
【００８４】
前述したように、第１屈曲部２１ｂ，２１ｂに外側から押力を印加して本体１０ｂをより湾曲させ、その状態で本体１０ｂを、重畳された一方の溶接金網ＷＭの枡目Ｍの内側に位置させ、両第１屈曲部２１ｂ，２１ｂを、当該一方の溶接金網ＷＭの枡目Ｍを構成する縦条材Ｗ１，Ｗ１の部分の間に内嵌させるため、前記押力が除去されると、本体１０ｂが元の状態に復帰しようとして、第２屈曲部２２ｂ，２２ｂが一方の溶接金網ＷＭの枡目Ｍを構成する縦条材Ｗ１，Ｗ１と横条材Ｗ２，Ｗ２との交点である溶接部に当接し、本体１０ｂは突っ張った状態でそこに固着される。
【００８５】
このとき、第１角部Ｔ１，Ｔ１は、重畳する一方の溶接金網ＷＭの枡目Ｍを構成する縦条材Ｗ１，Ｗ１の部分の周面であって、他方の溶接金網ＷＭに対向する部分に当接しており、また、第２角部Ｔ２，Ｔ２は、当該一方の溶接金網ＷＭの枡目Ｍを構成する横条材Ｗ２の部分の周面であって、他方の溶接金網ＷＭに対向する部分とは１８０°位置を異にする部分に当接しているため、第１角部Ｔ１，Ｔ１及び第２角部Ｔ２，Ｔ２も一方の溶接金網ＷＭの枡目Ｍの部分に固着される。
【００８６】
前述したように、立下部２３ｂ，２３ｂの高さ寸法は、図１４に示した場合にあっては、一方の溶接金網ＷＭの横条材Ｗ２の直径と他方の溶接金網ＷＭの縦条材Ｗ１の直径とを合わせた寸法より僅かに短い寸法になしてあるため、両第６屈曲部２６ｂ，２６ｂを前記縦条材Ｗ１，Ｗ１の部分に外嵌係合させると第２屈曲部２２ｂ，２２ｂが第６屈曲部２６ｂ，２６ｂ側へ撓むが、第２屈曲部２２ｂ，２２ｂもバネ条材で構成されているため、かかる撓みを元に復帰させるバネ力が発生し、第６屈曲部２６ｂ，２６ｂ及び当該第６屈曲部２６ｂ，２６ｂが係合した他方の溶接金網ＷＭの枡目Ｍの外側の縦条材Ｗ１，Ｗ１の部分を強固に引き寄せ、これによって一方の溶接金網ＷＭと他方の溶接金網ＷＭとが固定される。
【００８７】
図１７及び図１８並びに図１９及び図２０は、２枚の溶接金網の一部を互いに重畳させ、その重畳部分を固定具にて固定する方法を平面視で説明する説明図であり、図１７及び図１８は長方形状の溶接金網の長辺部分を重畳させた場合を、図１９及び図２０は長方形状の溶接金網の短辺部分を重畳させた場合をそれぞれ示している。なお、これらの図中、図６〜図９に示した部分に対応する部分には同じ番号を付してその説明を省略する。
【００８８】
図１７に示したように、長方形状の溶接金網ＷＭ，ＷＭを、両溶接金網ＷＭ，ＷＭの縦条材Ｗ１，Ｗ１，…、Ｗ１，Ｗ１，…及び横条材Ｗ２，Ｗ２，…、Ｗ２，Ｗ２，…にて囲まれる複数の枡目Ｍ，Ｍ，…、Ｍ，Ｍ，…が相互に一行程度重畳するように、即ち両溶接金網ＷＭ，ＷＭの長辺部分が相互に重畳するように配置する。そして、図１８に示したように、重畳させた枡目Ｍ，Ｍ，…、Ｍ，Ｍ，…の内、適当な複数（図１８にあっては３つ）の枡目Ｍ，Ｍ，Ｍ、Ｍ，Ｍ，Ｍ内に対をなす固定具１ｂ，１ｂ、１ｂ，１ｂ、１ｂ，１ｂを互いに対向配置して、各固定具１ｂ，１ｂ、１ｂ，１ｂ、１ｂ，１ｂを前述した如く取り付けることによって、両溶接金網ＷＭ，ＷＭの重畳部分と各固定具１ｂ，１ｂ、１ｂ，１ｂ、１ｂ，１ｂとを相互に結合させて、両溶接金網ＷＭ，ＷＭを固定させる。
【００８９】
一方、図１９に示したように、長方形状の溶接金網ＷＭ，ＷＭを、両溶接金網ＷＭ，ＷＭの複数の枡目Ｍ，Ｍ，…、Ｍ，Ｍ，…が相互に一列程度重畳するように、即ち両溶接金網ＷＭ，ＷＭの短辺部分が相互に重畳するように配置する。そして、図２０に示したように、重畳させた枡目Ｍ，Ｍ，…、Ｍ，Ｍ，…の内、適当な複数（図２０にあっては４つ）の枡目Ｍ，Ｍ、Ｍ，Ｍ、Ｍ，Ｍ、Ｍ，Ｍ内にそれぞれ１つの固定具１ｂ、１ｂ、１ｂ、１ｂを前述した如く取り付けることによって、両溶接金網ＷＭ，ＷＭの重畳部分と各固定具１ｂ、１ｂ、１ｂ、１ｂとを相互に結合させて、両溶接金網ＷＭ，ＷＭを固定させる。
【００９０】
このとき、重畳させた２枚の溶接金網ＷＭ，ＷＭの所要位置に、固定具１ｂの第１屈曲部２１ｂ，２１ｂ、第２屈曲部２２ｂ，２２ｂ、立下部２３ｂ，２３ｂ及び第６屈曲部２６ｂ，２６ｂを前述したように取り付けるだけで、両溶接金網ＷＭ，ＷＭを確実に固定することができるため、未熟な作業員であっても短時間で固定作業を実施することができる。
【００９１】
ところで、図２０に示したように、一の固定具１ｂによって、溶接金網ＷＭ，ＷＭの枡目Ｍの２つの角部を固定し、また、他の固定具１ｂによって、溶接金網ＷＭ，ＷＭの他の枡目Ｍの他の２つの角部を固定するため、両溶接金網ＷＭ，ＷＭが各縦条材Ｗ１，Ｗ１，…又は各横条材Ｗ２，Ｗ２，…にて形成される平面と平行をなす方向へずれることが防止される。
【００９２】
また、固定具１ｂの本体１０ｂは、前述したように溶接金網ＷＭの枡目Ｍを構成する縦条材Ｗ１の部分に外嵌させてもよいし、枡目Ｍを構成する横条材Ｗ２の部分に外嵌させてもよいことは言うまでもない。
【００９３】
（発明を実施するための第４の形態）
図２１及び図２２は、本発明を実施するための第４の形態に係る固定具を示す平面図及び斜視図であり、他方の溶接金網に係合する部分の形状を異ならせてある。また、図２３は、図２２に示した固定具を用いて重畳させた２枚の溶接金網を固定した状態を示す部分斜視図であり、図２４及び図２５は、図２３に示した固定具及び両溶接金網の部分平面図及び正面図である。なお、これらの図中、図１２から図１６に示した部分に対応する部分には対応する番号を付してある。
【００９４】
図２１〜図２５に示したように、立下部（第３屈曲部）２３ｃ，２３ｃに連通する第６屈曲部２６ｃ，２６ｃが、重畳された溶接金網ＷＭ，ＷＭの内の他方の溶接金網ＷＭの枡目Ｍを構成する縦条材Ｗ１の部分に外嵌係合するようになっており、立下部２３ｃ，２３ｃ及び第６屈曲部２６ｃ，２６ｃにて第２係合手段が構成されている。また、前同様、第１角部Ｔ１，Ｔ１及び対応する第２角部Ｔ２，Ｔ２にて第１係合手段が構成されており、立下部２３ｃ，２３ｃ及び第６屈曲部２６ｃ，２６ｃにて第２係合手段が構成されている。更に、第１屈曲部２１ｃ、第２屈曲部２２ｃ、立下部２３ｃ、第６屈曲部２６ｃによって屈曲部２０ｃが構成されている。
【００９５】
この第６屈曲部２６ｃ，２６ｃは、本体１０ｃと両第１屈曲部２１ｃ，２１ｃとで形成される前記平面ｆｃと平行な面より本体１０ｃ側へ屈曲させてあり、これによって後述する如く、第２係合手段と他方の溶接金網ＷＭとの係合をより強固にすることができる。
【００９６】
図２６は、図２５に示した固定具１ｃに溶接金網ＷＭ，ＷＭから脱離する力が加えられた場合の第６屈曲部２６ｃの状態を説明する説明図である。なお、図中、図２５に示した部分に対応する部分には同じ番号が付してある。
【００９７】
図２６に示したように、第６屈曲部２６ｃは他方の溶接金網ＷＭの縦条材Ｗ１に外嵌係合させてあり、このとき第２係合手段を構成する第６屈曲部２６ｃの先端位置は当該縦条材Ｗ１の中心より両立下部２３ｃ（２３ｃ）の間の内側の線Ｌ１上にある。この状態で、他方の溶接金網ＷＭに前記縦条材Ｗ１が固定具１ｃの第２係合手段から抜出する力が印加されると、第６屈曲部２６ｃが、それが外嵌された縦条材Ｗ１の周面上を滑って、第６屈曲部２６ｃの先端が両立下部２３ｃ（２３ｃ）の間の内側の方向へ線Ｌ２の位置まで前進して、当該縦条材Ｗ１は立下部２３ｃと第６屈曲部２６ｃとの角部内へより深く抱え込まれる。これによって第２係合手段と他方の溶接金網ＷＭとの係合がより強固になるため、第２係合手段から他方の溶接金網が抜出することが防止される。
【符号の説明】
【００９８】
１      固定具
１ａ    固定具
１ｂ    固定具
１ｃ    固定具
１０      本体
１０ａ    本体
１０ｂ    本体
２１      第１屈曲部
２２      第２屈曲部
２３      立上部（第３屈曲部）
２３ｂ    立下部（第３屈曲部）
２３ｃ    立下部（第３屈曲部）
２４      第４屈曲部
２５      第５屈曲部
２６      第６屈曲部
２６ｂ    第６屈曲部
２６ｃ    第６屈曲部
ＷＭ      溶接金網（格子状体）
Ｗ１      縦条材
Ｗ２      横条材
Ｍ      枡目
Ｌ１    線
Ｌ２    線
【図１】
2018155044.tif 000003
【図２】
2018155044.tif 000004
【図３】
2018155044.tif 000005
【図４】
2018155044.tif 000006
【図５】
2018155044.tif 000007
【図６】
2018155044.tif 000008
【図７】
2018155044.tif 000009
【図８】
2018155044.tif 000010
【図９】
2018155044.tif 000011
【図１０】
2018155044.tif 000012
【図１１】
2018155044.tif 000013
【図１２】
2018155044.tif 000014
【図１３】
2018155044.tif 000015
【図１４】
2018155044.tif 000016
【図１５】
2018155044.tif 000017
【図１６】
2018155044.tif 000018
【図１７】
2018155044.tif 000019
【図１８】
2018155044.tif 000020
【図１９】
2018155044.tif 000021
【図２０】
2018155044.tif 000022
【図２１】
2018155044.tif 000023
【図２２】
2018155044.tif 000024
【図２３】
2018155044.tif 000025
【図２４】
2018155044.tif 000026
【図２５】
2018155044.tif 000027
【図２６】
2018155044.tif 000028
【図２７】
2018155044.tif 000029